【事件の表示】
　特願２００４−１３６３７９「ＥＬ表示装置」拒絶査定不服審判事件〔平成１７年　９月２９日出願公開、特開２００５−２６６７３５〕について、次のとおり審決する。
【結　論】
　本件審判の請求は、成り立たない。
【理　由】
第１　手続の経緯
　本願は、平成１６年４月３０日の出願（優先権主張　平成１５年５月７日、平成１５年７月１８日、平成１６年２月２０日）であって、拒絶理由に応答して平成１９年１０月２６日付けで手続補正がなされ、その後、最後の拒絶理由に応答して平成２０年６月５日付けで手続補正がなされたが、平成２０年９月２４日付けで、前記平成２０年６月５日付け手続補正の却下の決定がなされるとともに同日付けで拒絶査定（同年９月３０日送達）がなされ、これに対して、同年１０月３０日に本件拒絶査定不服審判請求がされ、同年１１月２６日付けで手続補正がなされたものである。
　
第２　平成２０年１１月２６日付け手続補正の却下の決定について
　
［補正却下の決定の結論］
　
　平成２０年１１月２６日付け手続補正（以下「本件補正」という。）を却下する。
　
［理由］
１　本件補正の概要
　本件補正は、補正前の特許請求の範囲の請求項１に、
　
「　ＥＬ素子を有する画素がマトリックス状に配置された表示画面を有するＥＬ表示装置であって、
　前記画素に供給するアノード電圧またはカソード電圧のうち少なくとも一方を発生する電圧発生回路と、
　前記ＥＬ表示装置の前記画素に印加する信号を発生させる画像データから、点灯率を求める演算回路と、
　前記点灯率に対応して、前記電圧発生回路が発生するアノード電圧とカソード電圧のうち少なくとも一方を可変する制御回路とを具備することを特徴とするＥＬ表示装置。」
　
　とあったものを、
　
「　ＥＬ素子を有する画素がマトリックス状に配置された表示画面を有する
アクティブマトリックス型の
　前記画素に供給するアノード電圧またはカソード電圧のうち少なくとも一方を発生する電圧発生回路と、
　前記ＥＬ表示装置の前記画素に印加する信号を発生させる画像データから、点灯率を求める演算回路と、
　前記点灯率
が大きいときよりも点灯率が小さいときの方が、
の電圧差が大きくなるように、前記アノード電圧と前記カソード電圧
　
とする補正を含むものである。
　上記請求項１についての補正は、以下の（補正事項１）、（補正事項２）からなる。
（補正事項１）：「ＥＬ素子を有する画素がマトリックス状に配置された表示画面を有するＥＬ表示装置」を「アクティブマトリックス型」に限定する補正事項。
（補正事項２）：「制御回路」が「前記点灯率に対応して、前記電圧発生回路が発生するアノード電圧とカソード電圧のうち少なくとも一方を可変する」制御として、「前記点灯率が大きいときよりも点灯率が小さいときの方が、前記電圧発生回路が発生するアノード電圧とカソード電圧の電圧差が大きくなるように」制御するものに限定する補正事項。
　
２　補正の目的
　上記（補正事項１）、（補正事項２）は、いずれも、特許請求の範囲の減縮を目的とする補正であるから、本件補正のうち請求項１を対象とする補正は、平成１８年法律第５５号改正附則第３条第１項によりなお従前の例によるとされる同法による改正前の特許法（以下「平成１８年改正前特許法」という。）第１７条の２第４項第２号に規定する特許請求の範囲の減縮を目的とする補正に該当する。
　
３　独立特許要件の検討
　そこで、本件補正後の特許請求の範囲の請求項１に係る発明（以下「本願補正発明」という。）が、特許出願の際独立して特許を受けることができるものであるか（平成１８年改正前特許法１７条の２第５項において準用する特許法１２６条５項の規定に適合するか）について以下に検討する。
　
３−１　本願補正発明
　本願補正発明は、本件補正後の特許請求の範囲の請求項１に記載された事項により特定される、以下のとおりのものである。
「　ＥＬ素子を有する画素がマトリックス状に配置された表示画面を有するアクティブマトリックス型のＥＬ表示装置であって、
　前記画素に供給するアノード電圧またはカソード電圧のうち少なくとも一方を発生する電圧発生回路と、
　前記ＥＬ表示装置の前記画素に印加する信号を発生させる画像データから、点灯率を求める演算回路と、
　前記点灯率が大きいときよりも点灯率が小さいときの方が、前記電圧発生回路が発生するアノード電圧とカソード電圧の電圧差が大きくなるように、前記アノード電圧と前記カソード電圧のうち少なくとも一方を可変する制御回路とを具備することを特徴とするＥＬ表示装置。」
　
３−２　独立特許要件その１（特許法第２９条第２項）
３−２−１　引用刊行物とその記載事項
　原査定の拒絶の理由に引用され、本願の最先の優先日前に日本国内または外国において、頒布された刊行物である特開２００２−１１６７２８号公報（以下「引用刊行物」という。）には、図面とともに以下の事項が記載されている。
　
（１）　「【請求項５】入力される映像信号を自発光素子により構成された表示部に表示する表示装置であって、
前記表示部の複数の信号線および素子電源電圧を駆動する水平側駆動手段と、
前記表示部の複数の走査線を駆動する走査側駆動手段と、
前記水平側駆動手段と前記走査側駆動手段を制御するコントローラと、
前記映像信号の平均輝度レベル（ＡＰＬ）を検出する平均輝度検出手段と、
前記ＡＰＬが高い場合は信号傾斜ゲインを大きく、前記ＡＰＬが低い場合は信号傾斜ゲインを小さくする傾斜ゲイン生成手段と、
前記信号傾斜ゲインに応じて表示部内の発光素子に供給する電源電圧を変化させる素子電源電圧調整手段と、
前記信号傾斜ゲインに応じて信号レベルを変化させる垂直信号レベル調整手段とを備えたことを特徴とする表示装置。
【請求項６】素子電源電圧調整手段は、前記信号傾斜ゲインに応じて表示画面の所定位置を中心として水平方向の左右に向かって表示部内の発光素子に供給する電源電圧を下げ、垂直信号レベル調整手段は前記信号傾斜ゲインに応じて表示画面の所定位置を中心として垂直方向の上下に向かって信号レベルを下げるように変化させることを特徴とする請求項５記載の表示装置。
……
【請求項１２】表示部が有機ＥＬないしＬＥＤないし放電管ないし電子放出素子で構成されたことを特徴とする請求項１、３、５、７、８、９のいずれかに記載の表示装置。」
　
（２）　「【０００１】
【発明の属する技術分野】本発明は、消費電力低減および表示品位向上の目的で、入力される映像信号の特徴に応じて表示信号レベルを制御する自発光素子により構成された表示装置に関する。」
　
（３）　「【０００２】
【従来の技術】従来、表示装置の消費電力を低減するための各種構成が提案されている。低電力化を図った表示装置の従来構成を図２４に示す。図２４において、平均輝度検出手段５は映像信号の平均輝度レベル（以下、ＡＰＬと記す）を出力する。コントラスト調整手段２０は、ＡＰＬに応じて、映像信号に対するコントラストゲインを変化させる。コントローラ１は映像同期信号を入力し、走査側駆動手段２および信号側駆動手段３に対して制御信号を出力する。信号側駆動手段３は、映像信号に応じた信号を表示部４の信号線に出力する。走査側駆動手段２は、表示部４の走査線に信号を出力する。表示部４は複数の信号線と複数の走査線が組み合わさったマトリクス形式の表示部である。
【０００３】図２５に、表示部４の内部構成を示す。図２５において走査側駆動手段２は、走査線に対して第１のＴＦＴ５０のゲートをＯＮするための信号を出力する。第１のＴＦＴ５０は、ゲートがＯＮしている間に容量５１に信号側駆動手段３からの出力である信号線の電位を蓄積する。容量５１に蓄積された電荷に応じて第２のＴＦＴ５２に流れる電流が決められ、自発光素子５２が発光する。
…
【０００８】図３０に、コントラスト調整手段２０での処理状態を示す。図３０において、横軸はＡＰＬ、縦軸はコントラストゲインを示す。ＡＰＬが高い場合は、コントラストゲインを下げるように制御される。このように、平均輝度レベルが高くなり、画面全体の消費電力が大きくなるような場合に、コントラストゲインを下げることにより画面全体の輝度を下げて電力の抑制を図っている。」
　
（４）　「【０００９】
【発明が解決しようとする課題】しかしながら、図２４に示す従来構成においては、ＡＰＬが高い場合、画面全体の明るさを均一に下げることになり、コントラスト変化による表示品位の低下を招くことになる。
【００１０】本発明では、かかる点に鑑み、自発光素子により構成された表示部に画像表示を行う際、低電力化および表示品位低下抑制が可能な表示装置を提供することを目的とする。」
　
（５）　「【００３６】（実施の形態３）図１０は、本発明の実施の形態３における、入力される映像信号を自発光素子により構成された表示部に表示する表示装置の構成を示すブロック図である。図１０において、素子電源対応表示部１４は複数の信号線、複数の走査線、複数の素子電源線、画素毎に設けられたＴＦＴ（薄膜トランジスタ）、自発光素子などにより構成されている。コントローラ１および走査側駆動手段２は、従来例で示した図２８および図２７と同様である。平均輝度検出手段５は、映像信号のＡＰＬを検出する。ＡＰＬは、１画面または複数画面単位のものを検出する。傾斜ゲイン生成手段６は、ＡＰＬに応じて傾斜ゲインを生成する。ＡＰＬが高い場合は傾斜ゲインを大きく、ＡＰＬが低い場合は傾斜ゲインを小さく設定する。傾斜ゲイン生成手段６の処理は実施の形態１で示した図３と同様である。垂直信号レベル調整手段１１は、傾斜ゲインに応じて映像信号のレベルを画面の垂直方向に変化させる。素子電源電圧調整手段１２は、傾斜ゲインに応じて所定位置を中心に水平方向に素子電源を変化させる制御値を水平側駆動手段１３に出力する。水平側駆動手段１３は、複数の信号線および複数の素子電源電圧線に信号を出力する。
【００３７】図１１に、素子電源対応表示部の内部構成を示す。従来例で示した表示部と異なる点は、素子電源電圧が複数の素子電源線により接続されており、水平側駆動手段１３から信号が出力されていることである。これにより、発光素子に対する電源電圧を水平方向に変化させることが可能になる。
【００３８】図１２に、水平側駆動手段１３の内部構成を示す。図１２において、シフトレジスタにより構成されるデータ処理手段５６からのデータ保持タイミング信号によってデータ信号保持手段５５が画像データ保持を行う。データ信号保持手段５５からの信号は、データ信号出力手段５４を介して、表示部の信号線に出力される。また、素子電源処理手段６８は、素子電源電圧調整手段１２からの制御信号により水平方向に素子電源電圧を変化させ、素子電源出力手段６７を介して素子電源対応表示部の素子電源線に出力する。
【００３９】図１３に、垂直信号レベル調整手段１１の内部構成を示す。図１３において、垂直傾斜処理部７０は、傾斜ゲインに応じて映像信号レベルを垂直方向に変化させるための制御値を出力する。処理を行う中心位置は所定の位置が設定される。垂直演算処理部６９は、垂直傾斜処理部７０の出力に応じて映像信号のレベル変換処理を行う。垂直演算処理部６９の出力は出力部を介して水平側駆動手段に出力される。
【００４０】図１４に、垂直信号レベル調整手段１１のゲイン処理状態図を示す。図１４において、１００％は映像信号レベルをそのまま表示することを示し、９０％は映像信号を９０％のレベルに下げて表示することを意味している。図１４では、画面の中心を傾斜ゲイン処理の中心としてある。図１４に示すように、中心から上下方向に対して信号レベルを下げていく。ＡＰＬが高い場合は中心部と上下周辺部のゲイン差が大きくなり、ＡＰＬが低い場合はゲイン差が小さくなる。なお、図１４では放物線状の変化の例を示しているが、直線状の変化でもよい。また、図１４のゲイン数値は１例を示したものであり、システムに応じて変更を行う。
【００４１】図１５に、素子電源電圧調整手段１２の処理状態図を示す。図１５において、９０％は素子電源対応表示部の素子電源線電位を下げて９０％の発光量にすることを示している。素子電源電圧を下げることにより発光レベルが下がり、信号レベルを下げることと同等の効果が得られる。図１５では、画面の中心をゲート幅処理の中心としてある。図１５に示すように、中心から左右方向に対して素子電源電圧を下げていく。ＡＰＬが高い場合は中心部と上下周辺部の差が大きくなり、ＡＰＬが低い場合は差が小さくなる。なお、図１５では放物線状の変化の例を示しているが、直線状の変化でもよい。また、図１５の素子電源調整数値は１例を示したものであり、システムに応じて変更可能である。図１４および図１５で示したように、垂直および水平の両方向において傾斜ゲイン変化を与える処理を行えば、結果的に実施の形態１で示した図４に近似した処理状態を得ることになる。
【００４２】このように画面の所定位置を中心として周辺に向かって信号レベルを下げることにより、表示部の画素を構成している自発光素子に流れる電流を総合的に抑制する。ＡＰＬに応じて傾斜ゲインを設定しているため、画面全体が明るい場合つまり大電力消費時ほど電力抑制効果が発揮される。視覚上は、周囲に向かって徐々にゲインを下げていくために、表示品位の著しい低下は発生しない。また、図１６の構成図に示すように、水平系の処理を素子電源電圧変化で行い、垂直系の処理をゲート幅変化で行うことにより同等の効果を得ることも可能である。」
　
（６）　図１０から、平均輝度検出手段５は、映像信号を入力し、ＡＰＬを出力することが看取できる。
　
（７）　図１１から、自発光素子５３、第１のＴＦＴ５０、第２のＴＦＴ５２、容量５１を有する回路がマトリックス状に配置された表示部４が看取できる。また、素子電源線が、第２のＴＦＴ５２を介して、自発光素子のアノード端子に接続されていることが看取できる。
　
３−２−２　引用発明
　引用刊行物に記載された実施の形態３に基づいて引用発明を認定する。
　
ア　「【００３６】（実施の形態３）…。【００３７】図１１に、素子電源対応表示部の内部構成を示す。従来例で示した表示部と異なる点は、素子電源電圧が複数の素子電源線により接続されており、水平側駆動手段１３から信号が出力されていることである。…」との記載から、引用刊行物における従来例の表示部の内部構成と実施の形態３の表示部の内部構成が相違する部分は、素子電源線に関する部分である。よって、表示部の内部構成の内、素子電源線以外の部分については、引用刊行物の従来例に関する記載を参酌する。
　「【０００１】【発明の属する技術分野】本発明は、…入力される映像信号の特徴に応じて表示信号レベルを制御する自発光素子により構成された表示装置に関する。」との記載、「【０００２】【従来の技術】…。表示部４は複数の信号線と複数の走査線が組み合わさったマトリクス形式の表示部である。」との記載、「【００３６】（実施の形態３）…。図１０において、素子電源対応表示部１４は複数の信号線、複数の走査線、複数の素子電源線、画素毎に設けられたＴＦＴ（薄膜トランジスタ）、自発光素子などにより構成されている。」との記載を総合すると、引用刊行物の（実施の形態３）には、自発光素子を有する画素がマトリクス状に配置された表示部を有するマトリクス型の表示装置が開示されている。
　また、「【請求項１２】表示部が有機ＥＬ…で構成されたことを特徴とする請求項１、３、５、７、８、９のいずれかに記載の表示装置。」との記載から、自発光素子として有機ＥＬが開示されており、さらに、画素毎に設けられたＴＦＴ（薄膜トランジスタ）はアクティブ素子であるから、（実施の形態３）として開示されているマトリクス型の表示装置は、アクティブマトリクス型のＥＬ表示装置を含むものである。
　してみると、引用刊行物の（実施の形態３）には、「ＥＬ素子を有する画素がマトリクス状に配置された表示部を有するアクティブマトリクス型のＥＬ表示装置」が開示されている。
　
イ　「【００３８】図１２に、水平側駆動手段１３の内部構成を示す。…素子電源処理手段６８は、素子電源電圧調整手段１２からの制御信号により水平方向に素子電源電圧を変化させ、素子電源出力手段６７を介して素子電源対応表示部の素子電源線に出力する。」との記載から、「素子電源処理手段６８」と「素子電源出力手段６７」は、素子電源電圧調整手段１２からの制御信号により変化させた素子電源電圧を素子電源線に出力する。また、上記摘記事項「第２　３−２−１（７）」より、素子電源線は、第２のＴＦＴ５２を介して自発光素子５３のアノード端子に接続されている。さらに、「【００３６】（実施の形態３）…素子電源対応表示部１４は…、画素毎に設けられたＴＦＴ（薄膜トランジスタ）、自発光素子などにより構成されている。」との記載から、自発光素子５３は画素毎に設けられている。してみると、引用刊行物の（実施の形態３）には、「素子電源電圧調整手段１２からの制御信号により変化させた素子電源電圧を素子電源線に出力し、画素毎に設けられた自発光素子５３のアノード端子に供給する素子電源処理手段６８及び素子電源出力手段６７」が開示されている。
　
ウ　「【００３６】（実施の形態３）図１０は、本発明の実施の形態３における、入力される映像信号を自発光素子により構成された表示部に表示する表示装置の構成を示すブロック図である。…。平均輝度検出手段５は、映像信号のＡＰＬを検出する。ＡＰＬは、１画面または複数画面単位のものを検出する。」との記載、「【０００２】【従来の技術】…平均輝度検出手段５は映像信号の平均輝度レベル（以下、ＡＰＬと記す）を出力する。」との記載、上記「第２　３−２−１（６）」の摘記事項を総合すると、引用刊行物の（実施の形態３）には、「映像信号から映像信号の平均輝度レベル（ＡＰＬ）を検出する平均輝度検出手段」が開示されている。
　また、「【００３９】図１３に、垂直信号レベル調整手段１１の内部構成を示す。…。垂直演算処理部６９は、垂直傾斜処理部７０の出力に応じて映像信号のレベル変換処理を行う。垂直演算処理部６９の出力は出力部を介して水平側駆動手段に出力される。」との記載、「【００３８】図１２に、水平側駆動手段１３の内部構成を示す。図１２において、シフトレジスタにより構成されるデータ処理手段５６からのデータ保持タイミング信号によってデータ信号保持手段５５が画像データ保持を行う。データ信号保持手段５５からの信号は、データ信号出力手段５４を介して、表示部の信号線に出力される。また、素子電源処理手段６８は、素子電源電圧調整手段１２からの制御信号により水平方向に素子電源電圧を変化させ、素子電源出力手段６７を介して素子電源対応表示部の素子電源線に出力する。」との記載、「【０００３】…。第１のＴＦＴ５０は、ゲートがＯＮしている間に容量５１に信号側駆動手段３からの出力である信号線の電位を蓄積する。容量５１に蓄積された電荷に応じて第２のＴＦＴ５２に流れる電流が決められ、自発光素子５２が発光する。」との記載から、映像信号はレベル変換された後、水平側駆動手段に出力され、データ信号保持手段５５で保持された後、表示部の信号線に出力される。そして、信号線の電位を容量５１に蓄積し、蓄積された電荷に応じて自発光素子が発光する。そうすると、映像信号は、画素に印加する信号を発生させる信号といえる。さらに、上記アより、引用刊行物の（実施の形態３）の表示装置は、ＥＬ表示装置であることを併せると、引用刊行物の（実施の形態３）には、「ＥＬ表示装置の画素に印加する信号を発生させる映像信号から映像信号の平均輝度レベル（ＡＰＬ）を検出する平均輝度検出手段」が開示されている。
　
エ　「【００３６】（実施の形態３）…傾斜ゲイン生成手段６は、ＡＰＬに応じて傾斜ゲインを生成する。ＡＰＬが高い場合は傾斜ゲインを大きく、ＡＰＬが低い場合は傾斜ゲインを小さく設定する。…。素子電源電圧調整手段１２は、傾斜ゲインに応じて所定位置を中心に水平方向に素子電源を変化させる制御値を水平側駆動手段１３に出力する。水平側駆動手段１３は、複数の信号線および複数の素子電源電圧線に信号を出力する。」との記載、「【００４１】図１５に、素子電源電圧調整手段１２の処理状態図を示す。図１５において、９０％は素子電源対応表示部の素子電源線電位を下げて９０％の発光量にすることを示している。素子電源電圧を下げることにより発光レベルが下がり、信号レベルを下げることと同等の効果が得られる。図１５では、画面の中心をゲート幅処理の中心としてある。図１５に示すように、中心から左右方向に対して素子電源電圧を下げていく。ＡＰＬが高い場合は中心部と上下周辺部の差が大きくなり、ＡＰＬが低い場合は差が小さくなる。」との記載から、引用刊行物の（実施の形態３）には、「ＡＰＬが高い場合は中心部と左右周辺部の素子電源電圧の差が大きくなり、ＡＰＬが低い場合は素子電源電圧の差が小さくなるよう、中心から左右方向に対して素子電源電圧を下げていく素子電源電圧調整手段１２」が開示されている。（当審注：引用刊行物には、「【００４１】…中心から左右方向に対して素子電源電圧を下げていく。ＡＰＬが高い場合は中心部と上下周辺部の差が大きくなり…」と記載されている。しかしながら、
ａ）左右方向に対して素子電源電圧を下げることで、中心部と上下周辺部の差が大きくなることは、技術的に理解できないこと、
ｂ）引用刊行物には、「【００３２】…。図７に示すように、中心から左右方向に対して信号レベルを下げていく。ＡＰＬが高い場合は中心部と左右周辺部のゲイン差が大きくなり、…。」、「【００４０】…。図１４に示すように、中心から上下方向に対して信号レベルを下げていく。ＡＰＬが高い場合は中心部と上下周辺部のゲイン差が大きくなり、…。」との記載があり、信号レベルを下げていく方向と、ゲイン差が拡大する方向が一致していること、
ｃ）引用刊行物には、「【００４１】…。素子電源電圧を下げることにより発光レベルが下がり、信号レベルを下げることと同等の効果が得られる。」と記載されており、素子電源電圧を下げることと、信号レベルを下げることは、同等の効果をもたらすこと、
を考慮すると、中心から素子電源電圧を下げていく場合にも、素子電源電圧を下げていく方向と、差が大きくなる方向とは一致するものと解するのが技術常識に合致するから、引用刊行物における「…中心から左右方向に対して素子電源電圧を下げていく。ＡＰＬが高い場合は中心部と
上下
左右
　
オ　以上のことから、引用刊行物の（実施の形態３）には、以下の発明が開示されている。
　「ＥＬ素子を有する画素がマトリクス状に配置された表示部を有するアクティブマトリクス型のＥＬ表示装置であって、
　素子電源電圧調整手段１２からの制御信号により変化させた素子電源電圧を素子電源線に出力し、画素毎に設けられた自発光素子５３のアノード端子に供給する素子電源処理手段６８及び素子電源出力手段６７と、
　前記ＥＬ表示装置の前記画素に印加する信号を発生させる映像信号から映像信号の平均輝度レベル（ＡＰＬ）を検出する平均輝度検出手段と、
　ＡＰＬが高い場合は中心部と左右周辺部の素子電源電圧の差が大きくなり、ＡＰＬが低い場合は素子電源電圧の差が小さくなるよう、中心から左右方向に対して素子電源電圧を下げていく素子電源電圧調整手段１２とを具備するＥＬ表示装置。」（以下「引用発明」という。）
　
３−２−３　対比・判断
　本願補正発明と引用発明とを比較する。
ア　引用発明における「ＥＬ素子」は、本願補正発明における「ＥＬ素子」に相当し、以下同様に、「画素」は「画素」に、「表示部」は「表示画面」に、「アクティブマトリクス型のＥＬ表示装置」は「アクティブマトリックス型のＥＬ表示装置」に、それぞれ相当する。してみると、引用発明における「ＥＬ素子を有する画素がマトリクス状に配置された表示部を有するアクティブマトリクス型のＥＬ表示装置」は、本願補正発明における「ＥＬ素子を有する画素がマトリックス状に配置された表示画面を有するアクティブマトリックス型のＥＬ表示装置」に相当する。
　
イ　本願補正発明の「前記画素に供給するアノード電圧またはカソード電圧のうち少なくとも一方を発生する電圧発生回路」と、引用発明の「素子電源電圧調整手段１２からの制御信号により変化させた素子電源電圧を素子電源線に出力し、画素毎に設けられた自発光素子５３のアノード端子に供給する素子電源処理手段６８及び素子電源出力手段６７」とを対比する。
　引用発明の「素子電源処理手段６８及び素子電源出力手段６７」は、素子電源電圧を素子電源線に出力し、画素毎に設けられた自発光素子５３のアノード端子に供給しているから、画素に供給するアノード電圧を発生しているといえる。そうすると、引用発明における「素子電源処理手段６８及び素子電源出力手段６７」は、本願補正発明における「電圧発生回路」に相当する。したがって、引用発明における「素子電源電圧調整手段１２からの制御信号により変化させた素子電源電圧を素子電源線に出力し、画素毎に設けられた自発光素子５３のアノード端子に供給する素子電源処理手段６８及び素子電源出力手段６７」は、本願補正発明における「前記画素に供給するアノード電圧またはカソード電圧のうち少なくとも一方を発生する電圧発生回路」に相当する。
　
ウ　本願補正発明の「前記ＥＬ表示装置の前記画素に印加する信号を発生させる画像データから、点灯率を求める演算回路」と、引用発明の「前記ＥＬ表示装置の前記画素に印加する信号を発生させる映像信号から映像信号の平均輝度レベル（ＡＰＬ）を検出する平均輝度検出手段」とを対比する。
　引用発明における「映像信号」は、本願補正発明における「画像データ」に相当する。
　次に、本願補正発明の「点灯率」と、引用発明の「映像信号の平均輝度レベル（ＡＰＬ）」とを対比するにあたり、本願補正発明の「点灯率」の意味について検討する。本願明細書の発明の詳細な説明には、「点灯率」に関して以下の記載がある。（当審注：下線は当審で付加した。）
　
（ａ）「【０９１２】
　本明細書において、点灯率に応じてｄｕｔｙ比制御などを変化させるとして説明する。しかし、
点灯率とは、一定の意味ではない。
【０９１３】
　したがって、低点灯率とは、画面を構成する映像データのヒストグラム処理をした時、低階調の映像データが多い状態と言い換えることができる。高点灯率とは、画面１４４に流れる電流が大きいことを意味しているが、画像を構成する高階調表示の画素が多いことも意味する。…。
【０９１４】
　以上のことから、
点灯率にもとづいて制御するとは、場合に応じて画像の階調分布状態（低点灯率＝低階調画素が多い。高点灯率＝高階調画素が多い。）にもとづいて制御すると言い換えることができる
　
（ｂ）「【０９３０】
  以上の記載で
点灯率とは、画像の表示状態を示している。
点灯率とは、アノード端子に流れ込む電流（カソード端子から流れ出す電流）の大きさを示している。
（ｃ）「【１３１９】
　ただし、ＡＰＬレベルのみを考慮し、ｄｕｔｙ比制御を実施すれば、画像に応じて表示画面１４４の
平均輝度（ＡＰＬ）
【１３２０】
　画像の特徴抽出により、黒伸張、白伸張を実施することも重要である。これは、最大輝度（ＭＡＸ）、最小輝度（ＭＩＮ）、輝度の分布状態（ＳＧＭ）、シーンの変化状態を考慮して行うとよい。つまり、総和（
ＡＰＬレベルあるいは点灯率
　
（ｄ）「【１３３４】
　
点灯率とは、パネルのアノードまたはカソードに流れる最大電流に対する割合
【１３３５】
　また、
カソードに流れる最大電流を１００ｍＡとし、この時、映像データの総和の最大値とすれば、点灯率とはＳＵＭ制御もしくはＡＰＬ制御とは同義である。
【１３３６】
　
点灯率は、パネルのアノードまたはカソードに流れる最大電流に対する割合であるとしたが、パネルの全ＥＬ素子に流れる最大電流の割合とも言い換えることができることは言うまでもない。
【１３３７】
　本明細書では、点灯率と断り無く記載する時は、ｄｕｔｙ比１／１としている。もし、ｄｕｔｙ比１／３で、２０ｍＡの電流が流れていれば、点灯率は（２０ｍＡ×３）／１００ｍＡ＝６０％（０．６）である。つまり、点灯率が１００％でも、ｄｕｔｙ比が１／２であれば、アノード（カソード）端子に流れる電流は最大値の１／２である。点灯率５０％、アノード電流が２０ｍＡ、ｄｕｔｙ比１／１であれば、ｄｕｔｙ比１／２になれば、アノード電流は１０ｍＡとなる。アノード電流が１００ｍＡ、点灯率４０％、ｄｕｔｙ比１／１であれば、アノード電流が２００ｍＡに変化したとすると、点灯率は８０％に変化したことを意味する。以上のように、
点灯率は、１画面を構成する映像データの大きさに対する割合、ＥＬ表示パネルの消費電流（電力）あるいはその割合を示している。
【１３３８】
　以上の事項は、図１の画素構成のＥＬ表示パネルあるいはＥＬ表示装置だけではなく、図２、図７、図１１、図１２、図１３、図２８、図３１などの他の画素構成のＥＬ表示パネルあるいはＥＬ表示装置にも適用できることは言うまでもない。
…
【１３４０】
　
一例として点灯率（点灯率）は、映像データの和から求める。つまり、映像データから算出する。
【１３４１】
　
点灯率は、パネルに流れる電流で換算されているものであるとする。
　
（ｅ）「【１３７２】
  以下の説明では、最大値とは白ラスターの画像データの加算値とした。これは説明を容易にするためである。最大値は画像データの加算処理あるいはＡＰＬ処理などで発生する最大値である。したがって、
点灯率とは、処理を行う画面の画像データの最大値に対する割合である。
　
　上記記載によると、本願明細書の発明の詳細な説明に、「【０９１２】…、点灯率とは、一定の意味ではない。」と記載されているように、本願における「点灯率」は、必ずしも一定の意味で用いられておらず、
（１）点灯率は、画像の表示状態を示すものであり、点灯率が低いとは黒表示が多い画像を示しており、点灯率が高いとは、白表示が多い画像を示している。（【０９３０】参照）
（２）パネルのアノード又はカソードに流れる最大電流に対する割合（ただし、ｄｕｔｙ比は１／１とする）。（【１３３４】参照）
　カソードに流れる最大電流を１００ｍＡとし、この時、映像データの総和の最大値とすれば、点灯率とはＳＵＭ制御もしくはＡＰＬ制御とは同義（【１３３５】参照）
（３）映像データの和から求めるもの。（【１３４０】参照）
　点灯率とは、処理を行う画面の画像データの最大値に対する割合である。（【１３７２】参照）
等の説明がなされている。してみると、本願補正発明における点灯率は、上記（３）の説明の意味、すなわち、映像データから求めるものであって、映像データの和の最大値に対する割合の意味、あるいは、上記（２）の説明の意味、すなわち、パネルのアノード又はカソードに流れる最大電流に対する割合の意味、を少なくとも有している。
　一方、引用発明における「平均輝度レベル（ＡＰＬ）」は、引用刊行物にその定義や技術的意義について特段の記載はなく、表示装置の技術分野における通常使用する意味で用いられているものと解される。そこで、表示装置の技術分野における技術常識を参酌すると、例えば、特開平１１−１８７２８４号公報には、「【００１６】…ＡＰＬ１００％とは、表示画面において最白となる輝度レベルを示し、反対に、ＡＰＬ０％とは、表示画面において最黒となる輝度レベルを示している。」との記載があり、また、特開２０００−２２１９４５号公報には、「【００１９】…。パネル９に表示される映像の平均輝度を検出する方法としては、入力された映像信号の平均輝度レベルを検出する第１の方法、パネル９の各画素に流れる素子電流の平均レベルを検出する第２の方法、パネル９に印加する高圧電流を検出する第３の方法等がある。平均輝度の検出方法は、直接的もしくは間接的に検出する任意の方法でよい。また、平均輝度は１画面（１フィールド）の平均輝度に限定されることなく、所定期間（少なくとも１フィールド）の平均輝度であればよい。」と記載があるように、一般に、平均輝度（ＡＰＬ）は、％（百分率）で表される値を含むものであって、最白となる輝度レベル（言い換えると、最大の輝度レベル）に対する割合の意味を包含しており、映像信号の輝度データから算出する方法、各画素に流れる素子電流の平均レベルを検出する方法、パネル９に印加する高圧電流を検出する方法により直接的又は間接的に検出するものを包含する意味を有するものと解される。そうすると、引用発明における平均輝度（ＡＰＬ）は、一定の意味に限られるものではなく、輝度データの最大値に対する割合の意味であって、映像信号の輝度データから算出するもの、あるいは、パネルに流れる電流の最大値に対する割合の意味であって、映像信号の輝度データから間接的に検出するもの等を意味している。
　してみると、本願補正発明の点灯率は、上記（３）に説明する意味、すなわち、映像データから求めるものであって、映像データの和の最大値に対する割合の意味に解すると、輝度データの最大値に対する割合の意味であって、映像信号の輝度データから算出するという意味において引用発明の「映像信号の平均輝度レベル（ＡＰＬ）」は、本願補正発明の点灯率に相当する。また、本願補正発明の点灯率を、上記（２）に説明する意味、すなわち、パネルのアノード又はカソードに流れる最大電流に対する割合の意味に解しても、パネルに流れる電流の最大値に対する割合の意味であって、映像信号の輝度データから間接的に検出するという意味において引用発明の「映像信号の平均輝度レベル（ＡＰＬ）」は、本願補正発明の点灯率に相当する。
　以上のとおり、引用発明の「映像信号の平均輝度レベル（ＡＰＬ）」が、本願補正発明の点灯率に相当する。
　
エ　本願補正発明の「前記点灯率が大きいときよりも点灯率が小さいときの方が、前記電圧発生回路が発生するアノード電圧とカソード電圧の電圧差が大きくなるように、前記アノード電圧と前記カソード電圧のうち少なくとも一方を可変する制御回路」と、引用発明の「ＡＰＬが高い場合は中心部と左右周辺部の素子電源電圧の差が大きくなり、ＡＰＬが低い場合は素子電源電圧の差が小さくなるよう、中心から左右方向に対して素子電源電圧を下げていく素子電源電圧調整手段１２」とを対比する。
　上記ウで検討したとおり、引用発明の「平均輝度（ＡＰＬ）」は、本願補正発明の「点灯率」に相当するから、引用発明の「ＡＰＬが高い」は、本願補正発明の「点灯率が大きい」に相当し、引用発明の「ＡＰＬが低い」は、本願補正発明の「点灯率が小さい」に相当する。
　また、引用発明は、「ＡＰＬが高い場合は中心部と左右周辺部の素子電源電圧の差が大きくなり、ＡＰＬが低い場合は素子電源電圧の差が小さくなる」のであるから、表示画面の左右周辺部の領域に於いては、ＡＰＬが高いときよりもＡＰＬが低いときの方が、素子電源電圧の中心部との差が小さく、即ち、自発光素子５３のアノード電圧とカソード電圧の電圧差が大きくなっている。
　そして、引用発明における自発光素子５３のアノード端子に供給される「素子電源電圧を下げていく」ことは、本願補正発明における「アノード電圧を可変する」ことに含まれる。
　してみると、引用発明の「ＡＰＬが高い場合は中心部と左右周辺部の素子電源電圧の差が大きくなり、ＡＰＬが低い場合は素子電源電圧の差が小さくなるよう、中心から左右方向に対して素子電源電圧を下げていく素子電源電圧調整手段１２」は、本願補正発明の「前記点灯率が大きいときよりも点灯率が小さいときの方が、前記電圧発生回路が発生するアノード電圧とカソード電圧の電圧差が大きくなるように、前記アノード電圧と前記カソード電圧のうち少なくとも一方を可変する制御回路」に相当する。
　
　以上のことから、本願補正発明と引用発明は、
「　ＥＬ素子を有する画素がマトリックス状に配置された表示画面を有するアクティブマトリックス型のＥＬ表示装置であって、
　前記画素に供給するアノード電圧を発生する電圧発生回路と、
　前記ＥＬ表示装置の前記画素に印加する信号を発生させる画像データから、点灯率を求める演算回路と、
　前記点灯率が大きいときよりも点灯率が小さいときの方が、前記電圧発生回路が発生するアノード電圧とカソード電圧の電圧差が大きくなるように、前記アノード電圧を可変する制御回路とを具備することを特徴とするＥＬ表示装置。」
の点で一致し、発明を特定する事項に差異はない。
　したがって、本願補正発明は、引用発明と同一であるから、特許法第２９条第１項第３号に規定する発明に該当し、特許出願の際独立して特許を受けることができない。
　
　審判請求人は、平成２２年６月１８日付け回答書において、
（１）引用文献１には、単なるＡＰＬに関する記載はあるが、ＥＬ表示装置の前記画素に印加する信号を発生させる画像データから、点灯率を求めるものではないこと
（２）引用文献１の「素子電源を変化させること」は、表示画面の面内において輝度傾斜を発生させるものであって、本願補正発明のように、画面全体にわたり、アノード電圧またはカソード電圧を変化させるものではないこと
を根拠に、構成が相違する旨主張する。
　以下、審判請求人の主張を検討する。
（１）上記「第２　３−２−３　ウ」に記載したとおり、本願補正発明における「点灯率」と引用発明における平均輝度（ＡＰＬ）は、技術的意味が共通し、何れもＥＬ表示装置の画素に印加する信号を発生させる映像信号から検出するものである。したがって、本願発明の「点灯率」と引用発明のＡＰＬが相違する旨の審判請求人の主張は採用できない。
（２）本願補正発明は、制御回路がその電圧を可変し、電圧発生回路が発生するアノード電圧またはカソード電圧を、画面全体にわたり変化させることは特定されていない。したがって、審判請求人の主張は、本願補正発明の発明特定事項に基づかない主張であるから、採用することはできない。
　仮に、本願補正発明が、「画面全体にわたり、アノード電圧またはカソード電圧を変化させるもの」と解したとしても、以下のとおり、特許法第２９条第２項の規定により、特許出願の際独立して特許を受けることができない。
　引用刊行物には、「【０００２】【従来の技術】…。【０００８】図３０に、コントラスト調整手段２０での処理状態を示す。図３０において、横軸はＡＰＬ、縦軸はコントラストゲインを示す。ＡＰＬが高い場合は、コントラストゲインを下げるように制御される。このように、平均輝度レベルが高くなり、画面全体の消費電力が大きくなるような場合に、コントラストゲインを下げることにより画面全体の輝度を下げて電力の抑制を図っている。【０００９】【発明が解決しようとする課題】しかしながら、図２４に示す従来構成においては、ＡＰＬが高い場合、画面全体の明るさを均一に下げることになり、コントラスト変化による表示品位の低下を招くことになる。【００１０】本発明では、かかる点に鑑み、自発光素子により構成された表示部に画像表示を行う際、低電力化および表示品位低下抑制が可能な表示装置を提供することを目的とする。」との記載があり、引用刊行物は、画面全体の明るさを均一に下げる従来の技術に対し、表示画面の面内において輝度傾斜を発生させる技術を開示している。そうすると、画面全体の輝度を均一に制御して変化させることは、引用刊行物の従来技術の欄に開示されているから、引用発明において、画面の輝度を制御する際、画面全体の輝度を均一に制御して変化させることに困難性は無い。したがって、仮に、本願補正発明を、「画面全体にわたり、アノード電圧またはカソード電圧を変化させるもの」と解したとしても、特許法第２９条第２項の規定により、特許出願の際独立して特許を受けることができないものである。
　
３−２−４　小括
　以上のとおりであるから、本願補正発明は、特許法第２９条第１項第３号に規定する発明に該当し、特許出願の際、独立して特許を受けることができない。仮に、審判請求人が主張するよう、本願補正発明を「画面全体にわたり、アノード電圧またはカソード電圧を変化させるもの」と解したとしても、特許法第２９条第２項の規定により、特許出願の際、独立して特許を受けることができない。
　
３−３　独立特許要件その２（特許法第２９条の２）
３−３−１　先願明細書とその記載事項
　原査定の拒絶の理由に引用された、本願の最先の優先日（平成１５年５月７日）前の平成１５年２月２０日に出願された他の特許出願であって、本願の最先の優先日後に出願公開された特願２００３−４３２５１号（特開２００４−２５２２１６号公報参照）の願書に最初に添付した明細書又は図面（以下「先願明細書」という。）には、以下の事項が記載されている。
　
（１）「【０００１】
【発明の属する技術分野】
本発明は、自発光型表示装置とその駆動方法に係り、特に画素に流れる電流値の変化、温度の変化による自発光素子の特性劣化を抑制し、表示品質の向上および長寿命化を図った自発光型表示装置とその駆動方法に関する。」
　
（２）「【０００２】
【従来の技術】
近年、陰極管に代えて絶縁基板上に複数の画素をマトリクス配列したパネル型の表示装置が実用化されている。パネル型の表示装置として液晶表示装置がすでに実用化されている。液晶表示装置は自身では発光しないため、画像を可視化するたに外光や補助光源を必要とする。これに対し、画素自身が発光する自発光型の表示装置が開発されている。自発光型の表示装置としは、有機エレクトロルミネッセンス素子（有機ＥＬ）や電界放出型表示素子（ＦＥＤ）などが知られている。
【０００３】
有機ＥＬやＦＥＤなどの自発光型の表示装置は、自発光素子からなる複数の画素を基板上にマトリクス状に配置して構成される。この種の自発光型表示装置において、表示画像の平均輝度を測定し、この平均輝度に応じて表示素子に印加する電圧を制御して表示装置の表示品位を向上させる技術が知られている（特許文献１等参照）。例えば、画面全体はそれほど明るくないが一部に明るい領域がある画像を表示する場合には、その一部の明るい領域の表示を通常のピーク輝度よりも明るくすれば迫力のある表示になることが知られている。また、逆に画面全体が概ね明るい領域で占められている画像を表示する場合、ピーク輝度を高めてもあまり画質は向上しない。ゆえに、平均輝度の低い画像を表示するときだけ、ピーク輝度を高め、画面内の一部の領域の輝度を高くするよう制御することで、表示品位を向上させることができる。
【０００４】
また、平均輝度の高い画像を表示するときにはピーク輝度を落とすことになるため、本来高輝度で発光すべきであった表示装置内の多くの画素の輝度を落とすことになるため、消費電力の抑制につながる。さらに、自発光素子は高輝度で発光させるほど劣化が進行しやすいため、平均輝度の高い画像を表示するときにピーク輝度を落とすことで自発光素子の長寿命化にも貢献する。
【０００５】
ここで、有機ＥＬやＦＥＤ等の自発光素子表示装置の場合、自発光素子の発光輝度は当該素子を流れる電流量に比例するという性質があるので、表示装置全体の発光に供される電流量を測定することにより表示装置全体の平均輝度を検出することができる。
【０００６】
ところで、自発光型表示装置の駆動回路において、各画素に正確に階調をかけるためには、自発光素子が電流駆動であるため、各画素の自発光素子に流す電流量を正確に制御しなければならない。
【０００７】
一般に、自発光型の表示装置は、画素毎に薄膜トランジスタ（ＴＦＴ）等のスイッチング素子（アクティブ素子、以下ＴＦＴとして説明する）を備えたアクティブ・マトリクス構成を有している。以下では、自発光型の表示装置の一種である有機ＥＬ表示装置を例として説明する。この自発光型表示装置は、パネルを構成する基板上に有機ＥＬの自発光素子（ＯＬＥＤとも称する）で構成した複数の画素回路をマトリクス状に配置した表示部と、前記画素に接続された信号線に表示信号を供給する信号線駆動手段と、前記画素に電流を供給する電流供給線と、前記画素に接続された走査線に前記表示信号を供給する画素を選択するための選択信号を供給する走査線駆動手段と、選択された画素の前記電流供給線に電流を供給する駆動電源手段と、外部信号源から入力される表示データを前記信号線駆動手段と前記走査線駆動手段を制御する制御信号に変換する表示制御手段を備えている。
【０００８】
信号線駆動手段は走査線駆動手段で選択された走査線に接続した画素に階調をかけるために信号線を介して電圧信号を各画素に書きこむ。各画素はその電圧信号に応じて駆動電源手段から電流供給線を介して自発光素子に流す電流量を制御する（「特許文献２」参照）。正確に階調表示を行うためには、各画素は電圧信号の可変量を電流の可変量に正確に変換する必要がある。しかし、アクティブマトリクス構成の表示装置において、画素回路を構成するＴＦＴ素子を全画面にわたってバラツキ無く作製することは困難である。
【０００９】
そこで、電圧信号の可変量を電流の可変量に正確に変換するＴＦＴを必要としない自発光素子駆動装置の技術が考案された。例えば、１画素毎に、入力信号に応じたパルス幅変調（ＰＷＭ）信号を用いて１フレーム期間中に階調をかける駆動装置が開示されている（「特許文献３〕参照）。この駆動装置においては、画素の自発光素子に流す電流量をアナログ制御するのではなく、電流のＯＮ−ＯＦＦを制御するため、電圧信号の可変量を電流の可変量に正確に変換するＴＦＴ素子は必要ない。１フレーム期間中の自発光素子に電流が流れる時間すなわちデューティ比を制御することで階調表示を行う。」
　
（３）「【００１４】
本発明の目的は、温度変化および自発光素子の経時的な劣化を原因とするＩ−Ｖ特性変質の影響で増減してしまった電流量および輝度を補償すると共に、表示画像の平均輝度に応じた輝度制御を行うことにより、高品質の画像表示と長寿命化を図った自発光型表示装置とその駆動方法を提供することにある。」
　
（４）「【００１８】
【発明の実施の形態】
以下、本発明の実施形態について、有機ＥＬ素子表示装置を例に取り説明する。図１は本発明による自発光型表示装置の第１の実施形態である有機ＥＬ素子表示装置の構成例を説明するブロック図である。図１において、符号１〜５は図示しない外部の信号源から入力される映像デジタル信号で、１は映像データ信号、２は垂直同期信号、３は水平同期信号、４はデータイネーブル信号、５はデータ同期クロックである。映像データ信号１は画像の各画素の濃淡値（階調）を表す信号である。
【００１９】
垂直同期信号２は１フレーム期間周期の信号で映像データ信号（表示信号）１の１フレーム分の始まりを示す。水平同期信号３は一水平周期の信号で表示データ１の１水平ライン分の始まりを示す。データイネーブル信号４は映像データ信号１が有効である期間を示す信号である。１〜４は全てデータ同期クロック５に同期して入力される。本実施形態では、映像データ信号１は、一画面分が左上端の画素から順次ラスタスキャン形式で転送されるものとして以下説明する。６は表示制御部、７は表示データ信号、８はデータ信号駆動回路制御信号、９は走査信号駆動回路制御信号、２８はＰＷＭ制御信号である。表示制御部６は表示装置全体をコントロールする部分で、外部から入力される映像デジタル信号１〜５のに応じて所定のタイミングで表示信号（データ信号）７、データ信号駆動回路制御信号８、走査信号駆動回路制御信号９、ＰＷＭ制御信号２８を出力する。１０はデータ信号駆動回路（信号線駆動回路）で、１１はデータ線（信号線）、１２は走査信号駆動回路（走査線駆動回路）で１３は走査線、１４は表示部である。
【００２０】
データ信号駆動回路１０は、データ信号駆動回路制御信号８によって制御され、信号線１１を介して表示部１４内の各画素にアナログ信号で表示データ（表示信号）を書き込む。走査信号駆動回路１２は、走査信号駆動回路制御信号９によって制御され、走査線１３を介して表示部１４に書き込み選択信号を送る。ＰＷＭ制御信号２８は、表示部１４内の画素回路のＰＷＭ回路を制御するための信号である。１５は陽極電源制御部、１６は発光電力供給線（電流供給線）、１９は電流測定部、１９０は発光電流信号（電流信号）、１９は平均回路、１９２は平均電流値信号、１９３はピーク検出部、１９４はピーク電流値信号である。陽極電源部１５は、有機ＥＬ素子が発光するために必要な電力を発光電力供給線１６を介して表示部１４に供給する。
【００２１】
陽極電源制御部１５は平均電流値信号１９２とピーク電流値信号１９４を受信し、これら信号に応じて表示部１４内の自発光素子に印加する電圧を制御する。電流測定部１９は発光電力供給線１６を流れる電流を測定することにより、表示部１４内の有機ＥＬ素子を流れる電流の総量を測定する。電流測定部１９はその電流測定値を信号化して、発光電流信号１９０として平均回路１９１とピーク検出部１９３に入力する。平均回路１９１は例えばローパスフィルタなどで構成し、１フレーム周期で増減する発光電流信号１９０を平均し、平均電流値信号１９２として出力し陽極電源制御部１５に伝達する。ピーク検出部１９３は例えばサンプルホールド回路などで構成して１フレーム周期で増減する発光電流信号１９０のピーク値を１フレーム期間ごとに検出し、ピーク電流値信号１９４として出力し陽極電源制御部１５に伝達する。１７は陰極電源部で、１８は陰極電源線である。陰極電源部１７は表示部１４内各画素の有機ＥＬ素子の陰極側に陰極電源線１８を介して接続されている。
…。
【００４３】
図７は図６に示した自発光素子表示装置の輝度制御フローを実施するための図１の陽極電源制御部１５の内部構成の一例を説明する回路図である。図７において、符号１５１は除算回路、１５２は平均電流／ピーク電流比信号、１５３は制御関数回路、１５４は目標ピーク電流値信号、１５５はコンパレータ、１５６は発振器、１５７はパワーＭＯＳ、１５８は整流ダイオード、１５９はインダクタ、１６０は平滑コンデンサである。除算回路１５１は入力される平均電流値信号１９２をピーク電流値信号１９４で除算し、平均電流／ピーク電流比信号１５２として出力する。制御関数回路１５３は、入力される平均電流／ピーク電流比信号１５２に応じて目標ピーク電流値信号１５４を出力する。コンパレータ１５５は目標ピーク電流値信号１５４とピーク電流値信号１９４を比較し、目標ピーク電流値信号のほうが高いときにはハイレベルの電圧を発振器１５６のイネーブル端子に出力し発振器１５６を動作させる。
【００４４】
一方、ピーク電流値信号１９４のほうが目標ピーク電流値信号１５４より高い場合はローレベル電圧を発振器１５６のイネーブル端子に出力し発振器１５６の動作を止める。発振器１５６は高周波の信号を出力しパワーＭＯＳ１５７のスイッチングを制御する。発振器１５６が動作しているときはパワーＭＯＳ１５７はオンとオフを繰り返し、３．３Ｖ等の低電圧な電源からインダクタ１５９を通りパワーＭＯＳ１５７を通過しグランドに流れ込む電流をＯＮ−ＯＦＦさせる。この電流のオン−オフによって、インダクタ１５９に逆起電力が生じ高電圧を発生する。ここで生じた高電圧は整流ダイオード１５８を通り、平滑コンデンサ１６０を高電圧に充電し表示装置の自発光素子の発光のための電源として発光電力供給線１６に出力される。
【００４５】
パワーＭＯＳ１５７がスイッチングを繰り返すと平滑コンデンサ１６０は充電されて、発光電力供給線１６を介して自発光素子に印加される電圧は徐々に上昇する。自発光素子に印加される電圧が上昇すると共に発光電流のピーク電流値信号１９４の値も上昇し、目標ピーク電流値１５４を超えると、コンパレータはローレベルを出力し、発振器１５６の動作を止める。発振器１５６の動作が止まるとインダクタ１５９は高電圧を発生しなくなり、自発光素子には平滑コンデンサ１６０に蓄えられた電荷が供給され、発光電力供給線１６の電圧は徐々に降下する。発光電力供給線１６の電圧が降下すると、発光電流のピーク電流値が低下するため発振器１５６が動作する。陽極電源制御回路１５は上記のように動作し、ピーク電流値信号１９４のレベルは、目標ピーク電流値１５４と常に一致するよう保たれる。制御関数回路１５３の入出力の関係を任意に設定することにより、映像データ信号の平均輝度に応じたピーク輝度制御のチューニングが可能である。そして、Ｉ−Ｖ特性の変化の影響を受けずに、制御関数回路１５３の設定通りに平均輝度に輝度制御を行うことができる。
【００４６】
本実施例においては、スイッチングレギュレータによる昇圧回路を陽極側電源に用いた制御の具体例の説明を行ったが、ピーク電流値信号１９４および平均電流／ピーク電流比信号１５２に応じて自発光素子に印加する電圧を制御するという目的においては図７の回路構成に制限されるものではない。また、…。
…
【００４８】
以上、表示装置の発光に供する電流量からピーク電流値と平均電流値を測定し、表示装置のピーク輝度を制御する手法の１実施例について述べた。しかし、階調番号が０（黒表示）の画素は１フレーム期間の間１度も点燈しないので、図５の時刻Ｔ０のときの電流測定値は、本当に全画素が点燈しているときの電流値との間に若干の誤差が生じる。もし、この誤差を見過ごすことのできないくらい高い精度を要求するのであれば、ＰＷＭ制御信号２８によるＰＷＭ回路２５の制御法を工夫するなどしてコントラストに影響の出ない程度に一瞬だけ階調番号が０である画素も点燈させ、そのときの電流値を測定することにより、ピーク電流値の測定精度を高めることも可能である。
【００４９】また、図１と図２において自発光素子の陽極側の電源である陽極電源制御部１５と発光電力供給線１６と電流測定部１９を１系統だけ表記しているが、複数色（例えば、赤Ｒ、緑Ｇ、青Ｂなど）に自発光素子ごとにこれらを設け、各色毎に自発光素子に印加する電圧を制御しても構わない。色毎に電源線を分けることにより、初期設定で色バランスの調整をできることの他、温度変化に起因する色バランスのズレや、自発光素子の経時的な劣化による色バランスのズレを補正することも可能である。」
　
（５）「【００５４】
図１１は本発明による自発光型表示装置の第３の実施例である自発光型表示装置の構成例を説明する図１および図９と同様のブロック図である。本実施例では、映像データ信号１から直接平均輝度を算出する。図１１において、符号６１は平均輝度算出部、６２は映像データ信号の平均輝度、１５０１は平均輝度入力陽極電源制御部である。その他、前記各実施例と同一符号は同一機能部分に対応し、第１の実施例の場合と同じ動作をするものとする。平均輝度算出部６１は映像データ信号１からデジタル演算により映像データ信号１の平均輝度を算出し、映像データ信号の平均輝度６２として平均輝度入力陽極電源制御部１５０１に入力する。
【００５５】
図１２は図１１における平均輝度入力陽極電源制御部１５０１の構成例を説明する回路図である。以下、前記図１および図７で説明した第１の実施例と異なる部分についてのみ説明する。制御関数回路１５３は映像データ信号の平均輝度６２の入力に応じて目標ピーク電流値信号１５４を出力する。制御関数回路１５３の入出力関係は、例えば図１１のように、平均輝度の低い場合に目標ピーク電流値信号１５４の出力レベルを高くし、平均輝度の高い場合に目標ピーク電流値信号１５４の出力レベルを低くする。第１の実施例の場合と同様に、表示装置の発光に供される電流のピーク値は、目標ピーク電流値信号１５４と等しくなるように制御される。図１１、図１２において特に説明していないコンポネントは、第１の実施形態の項で説明した通り動作するものとする。
【００５６】
以上のように、本実施例の構成としたことにより、映像データ信号１から算出した平均輝度に応じて、確実にピーク輝度制御を行うことができる。また、温度変化や経時的な劣化等により自発光素子のＩ−Ｖ特性が変化したとしても、ピーク輝度制御に影響はない。」
　
３−３−２　先願発明
　先願明細書の記載のうち、第３の実施例に基づいて先願発明を認定するが、第３の実施例が対象とする自発光型表示装置の一般的な構成は、【従来の技術】の記載を参酌して認定する。
ア　【従来の技術】を説明する「【０００３】有機ＥＬやＦＥＤなどの自発光型の表示装置は、自発光素子からなる複数の画素を基板上にマトリクス状に配置して構成される。」との記載と、「【０００７】一般に、自発光型の表示装置は、画素毎に薄膜トランジスタ（ＴＦＴ）等のスイッチング素子（アクティブ素子、以下ＴＦＴとして説明する）を備えたアクティブ・マトリクス構成を有している。」との記載から、先願明細書には、「ＥＬ素子を有する画素がマトリックス状に配置されたアクティブマトリックス型のＥＬ表示装置」が開示されている。
　
イ　第３の実施例の説明中に「【００５５】図１２は図１１における平均輝度入力陽極電源制御部１５０１の構成例を説明する回路図である。以下、前記図１および図７で説明した第１の実施例と異なる部分についてのみ説明する。制御関数回路１５３は映像データ信号の平均輝度６２の入力に応じて目標ピーク電流値信号１５４を出力する。制御関数回路１５３の入出力関係は、例えば図１１のように、平均輝度の低い場合に目標ピーク電流値信号１５４の出力レベルを高くし、平均輝度の高い場合に目標ピーク電流値信号１５４の出力レベルを低くする。」と記載されているので、制御関数回路１５３が映像データ信号の平均輝度６２の入力に応じて目標ピーク電流値信号１５４を出力する点を除き、第３実施例の平均輝度入力陽極電源制御部１５０１は、第１実施例の陽極電源制御部１５と異なる点はないから、陽極電源制御部１５が発生する電圧とその供給先について、第１実施例の記載を参酌する。
　第１の実施例の説明中の「【００２１】陽極電源制御部１５は平均電流値信号１９２とピーク電流値信号１９４を受信し、これら信号に応じて表示部１４内の自発光素子に印加する電圧を制御する。」との記載、「【００４３】図７は図６に示した自発光素子表示装置の輝度制御フローを実施するための図１の陽極電源制御部１５の内部構成の一例を説明する回路図である。…。【００４４】…。ここで生じた高電圧は整流ダイオード１５８を通り、平滑コンデンサ１６０を高電圧に充電し表示装置の自発光素子の発光のための電源として発光電力供給線１６に出力される。」との記載、上記アで検討したとおり、自発光素子には、ＥＬ素子が含まれていることから、先願明細書の第３の実施例には、ＥＬ素子に供給する電圧を発生する陽極電源制御部１５（「陽極電源制御部１５」は、第３実施例では、「平均輝度入力陽極電源制御部１５０１」である。）が開示されている。
　
ウ　「【０００５】ここで、有機ＥＬやＦＥＤ等の自発光素子表示装置の場合、自発光素子の発光輝度は当該素子を流れる電流量に比例するという性質があるので、表示装置全体の発光に供される電流量を測定することにより表示装置全体の平均輝度を検出することができる。」との記載、「【００５４】…。平均輝度算出部６１は映像データ信号１からデジタル演算により映像データ信号１の平均輝度を算出し、」との記載から、先願明細書の第３の実施例には、表示装置の発光に供される電流量で決まる平均輝度を、映像データ信号１から演算する平均輝度算出部６１が開示されている。
　
エ　「【００５５】…。図１１、図１２において特に説明していないコンポネントは、第１の実施形態の項で説明した通り動作するものとする。」と記載されているから、図１２のコンパレータ１５５、発振器１５６、パワーＭＯＳ１５７、整流ダイオード１５８、インダクタ１５９、平滑コンデンサ１６０の動作について第１の実施形態（特に【００４３】〜【００４６】の記載）を参酌すると、「【００４３】…制御関数回路１５３は、入力される平均電流／ピーク電流比信号１５２に応じて目標ピーク電流値信号１５４を出力する。コンパレータ１５５は目標ピーク電流値信号１５４とピーク電流値信号１９４を比較し、目標ピーク電流値信号のほうが高いときにはハイレベルの電圧を発振器１５６のイネーブル端子に出力し発振器１５６を動作させる。【００４４】一方、ピーク電流値信号１９４のほうが目標ピーク電流値信号１５４より高い場合はローレベル電圧を発振器１５６のイネーブル端子に出力し発振器１５６の動作を止める。発振器１５６は高周波の信号を出力しパワーＭＯＳ１５７のスイッチングを制御する。発振器１５６が動作しているときはパワーＭＯＳ１５７はオンとオフを繰り返し、３．３Ｖ等の低電圧な電源からインダクタ１５９を通りパワーＭＯＳ１５７を通過しグランドに流れ込む電流をＯＮ−ＯＦＦさせる。この電流のオン−オフによって、インダクタ１５９に逆起電力が生じ高電圧を発生する。ここで生じた高電圧は整流ダイオード１５８を通り、平滑コンデンサ１６０を高電圧に充電し表示装置の自発光素子の発光のための電源として発光電力供給線１６に出力される。【００４５】パワーＭＯＳ１５７がスイッチングを繰り返すと平滑コンデンサ１６０は充電されて、発光電力供給線１６を介して自発光素子に印加される電圧は徐々に上昇する。自発光素子に印加される電圧が上昇すると共に発光電流のピーク電流値信号１９４の値も上昇し、目標ピーク電流値１５４を超えると、コンパレータはローレベルを出力し、発振器１５６の動作を止める。発振器１５６の動作が止まるとインダクタ１５９は高電圧を発生しなくなり、自発光素子には平滑コンデンサ１６０に蓄えられた電荷が供給され、発光電力供給線１６の電圧は徐々に降下する。発光電力供給線１６の電圧が降下すると、発光電流のピーク電流値が低下するため発振器１５６が動作する。陽極電源制御回路１５は上記のように動作し、ピーク電流値信号１９４のレベルは、目標ピーク電流値１５４と常に一致するよう保たれる。制御関数回路１５３の入出力の関係を任意に設定することにより、映像データ信号の平均輝度に応じたピーク輝度制御のチューニングが可能である。」と記載されている。該記載から、目標ピーク電流値信号１５４の出力レベルを高くすると、発振器１５６が動作し、パワーＭＯＳ１５７はオンとオフを繰り返し、平滑コンデンサ１６０が充電され、発光電力供給線１６を介して自発光素子に印加される電圧は徐々に上昇し、自発光素子に印加される電圧が上昇すると共に発光電流のピーク電流値信号１９４の値が上昇することが読み取れる。逆に、目標ピーク電流値信号１５４の出力レベルを低くすると、発振器１５６が停止し、インダクタ１５９が高電圧を発生しなくなり、自発光素子には平滑コンデンサ１６０に蓄えられた電荷が供給され、発光電力供給線１６の電圧は徐々に降下すると共に発光電流のピーク電流値信号１９４の値が下降することが読み取れる。
　そして、第３の実施例では、「【００５５】…。制御関数回路１５３は映像データ信号の平均輝度６２の入力に応じて目標ピーク電流値信号１５４を出力する。制御関数回路１５３の入出力関係は、例えば図１１のように、平均輝度の低い場合に目標ピーク電流値信号１５４の出力レベルを高くし、平均輝度の高い場合に目標ピーク電流値信号１５４の出力レベルを低くする。第１の実施例の場合と同様に、表示装置の発光に供される電流のピーク値は、目標ピーク電流値信号１５４と等しくなるように制御される。」と記載されている。そうすると、平均輝度が低い場合、制御関数回路１５３は、目標ピーク電流値信号１５４の出力レベルを高くするから、自発光素子（ＥＬ素子）に印加される電圧が上昇し、自発光素子（ＥＬ素子）に供給される電流のピーク値が上昇することとなる。逆に、平均輝度が高い場合、制御関数回路１５３は、目標ピーク電流値信号１５４の出力レベルを低くするから、自発光素子（ＥＬ素子）に印加される電圧が降下し、自発光素子（ＥＬ素子）に供給される電流のピーク値が低下することとなる。
　してみると、先願明細書の第３の実施例には、平均輝度が低い場合、表示装置の発光に供される電流のピーク値が高くなるように、平均輝度が高い場合、表示装置の発光に供される電流のピーク値が低くなるように、平均輝度入力陽極電源制御部１５０１が発生するＥＬ素子に供給する電圧を可変する制御関数回路１５３が開示されている。
　
　以上のことから、先願明細書には、
「ＥＬ素子を有する画素がマトリックス状に配置されたアクティブマトリックス型のＥＬ表示装置であって、
　ＥＬ素子に供給する電圧を発生する平均輝度入力陽極電源制御部１５０１と、
　表示装置の発光に供される電流量で決まる平均輝度を、映像データ信号１から演算する平均輝度算出部６１と、
　平均輝度が低い場合、表示装置の発光に供される電流のピーク値が高く、平均輝度が高い場合、表示装置の発光に供される電流のピーク値が低くなるように、平均輝度入力陽極電源制御部１５０１が発生するＥＬ素子に供給する電圧を可変する制御関数回路１５３とを具備するＥＬ表示装置。」（以下「先願発明」という。）
が開示されている。
　
３−３−３　対比・判断
　以下、本願補正発明と、先願発明とを対比する。
ア　先願発明における「ＥＬ素子を有する画素がマトリックス状に配置されたアクティブマトリックス型のＥＬ表示装置」は本願補正発明における「ＥＬ素子を有する画素がマトリックス状に配置された表示画面を有するアクティブマトリックス型のＥＬ表示装置」に相当する。
　
イ　本願補正発明における「前記画素に供給するアノード電圧またはカソード電圧のうち少なくとも一方を発生する電圧発生回路」と、先願発明における「ＥＬ素子に供給する電圧を発生する平均輝度入力陽極電源制御部１５０１」とを対比する。
　先願発明における「平均輝度入力陽極電源制御部１５０１」が発生する「ＥＬ素子に供給する電圧」は、陽極電圧であり、陽極電圧とアノード電圧は、同じ電圧を意味するから、先願発明における「ＥＬ素子に供給する電圧を発生する平均輝度入力陽極電源制御部１５０１」は、本願補正発明における「前記画素に供給するアノード電圧またはカソード電圧のうち少なくとも一方を発生する電圧発生回路」に相当する。
　
ウ　本願補正発明の「前記ＥＬ表示装置の前記画素に印加する信号を発生させる画像データから、点灯率を求める演算回路」と、先願発明の「表示装置の発光に供される電流量で決まる平均輝度を、映像データ信号１から演算する平均輝度算出部６１」とを対比する。
　先願発明における「映像データ信号１」は、本願補正発明における「画像データ」に相当する。
　また、上記「第２　３−２−３　ウ」で検討したとおり、本願補正発明における「点灯率」は、必ずしも一定の意味で用いられておらず、
（１）点灯率は、画像の表示状態を示すものであり、点灯率が低いとは黒表示が多い画像を示しており、点灯率が高いとは、白表示が多い画像を示している。（【０９３０】参照）
（２）パネルのアノード又はカソードに流れる最大電流に対する割合（ただし、ｄｕｔｙ比は１／１とする）。（【１３３４】参照）
　カソードに流れる最大電流を１００ｍＡとし、この時、映像データの総和の最大値とすれば、点灯率とはＳＵＭ制御もしくはＡＰＬ制御とは同義（【１３３５】参照）
（３）映像データの和から求めるもの。（【１３４０】参照）
　点灯率とは、処理を行う画面の画像データの最大値に対する割合である。（【１３７２】参照）
等の説明がなされている。してみると、本願補正発明における点灯率は、上記（２）の説明の意味、すなわち、パネルのアノード又はカソードに流れる最大電流に対する割合の意味、を少なくとも有している。
　一方、先願発明の「平均輝度」は、表示装置の発光に供される電流量で決まるものの、表示装置の発光に供される電流量から平均輝度がどのように決まるのか、具体的な記載はない。そこで、表示装置の技術分野における技術常識を参酌すると、例えば、特開平１１−１８７２８４号公報には、「【００１６】…ＡＰＬ１００％とは、表示画面において最白となる輝度レベルを示し、反対に、ＡＰＬ０％とは、表示画面において最黒となる輝度レベルを示している。」との記載があるように、表示画面において最白となる輝度レベルの時（すなわち、輝度が最大の時）に表示装置の発光に供される電流量に対する割合の意味と解せられる。
　そうすると、本願補正発明の点灯率は、上記（２）に説明する意味、すなわち、パネルのアノード又はカソードに流れる最大電流に対する割合の意味を有しているので、輝度が最大の時に表示装置の発光に供される電流量に対する割合の意味を有する先願発明の「平均輝度」は、本願補正発明の「点灯率」に相当する。
　したがって、先願発明の「表示装置の発光に供される電流量で決まる平均輝度を、映像データ信号１から演算する平均輝度算出部６１」は、本願補正発明の「前記ＥＬ表示装置の前記画素に印加する信号を発生させる画像データから、点灯率を求める演算回路」に相当する。
　
エ　本願補正発明の「前記点灯率が大きいときよりも点灯率が小さいときの方が、前記電圧発生回路が発生するアノード電圧とカソード電圧の電圧差が大きくなるように、前記アノード電圧と前記カソード電圧のうち少なくとも一方を可変する制御回路」と、先願発明の「平均輝度が低い場合、表示装置の発光に供される電流のピーク値が高く、平均輝度が高い場合、表示装置の発光に供される電流のピーク値が低くなるように、平均輝度入力陽極電源制御部１５０１が発生するＥＬ素子に供給する電圧を可変する制御関数回路１５３」とを対比する。
　上記ウに記載したとおり、先願発明の「平均輝度」は本願補正発明の「点灯率」に相当するから、先願発明における「平均輝度が低い」は本願補正発明の「点灯率が小さい」に相当し、同様に、「平均輝度が高い」は「点灯率が大きい」に相当する。そして、表示装置の発光に供される電流のピーク値と、アノード電圧とカソード電圧の電圧差とは、対応する関係にあり、電位差が大きいと電流のピーク値が高くなり、電位差が小さいと電流のピーク値が低くなるから、先願発明における「表示装置の発光に供される電流のピーク値が高く、…なるように、発生する平均輝度入力陽極電源制御部１５０１が発生するＥＬ素子に供給する電圧を可変する」ことは、本願補正発明における「前記電圧発生回路が発生するアノード電圧とカソード電圧の電圧差が大きくなるように、前記アノード電圧…を可変する」ことに相当する。してみると、先願発明の「平均輝度が低い場合、表示装置の発光に供される電流のピーク値が高く、平均輝度が高い場合、表示装置の発光に供される電流のピーク値が低くなるように、発生する平均輝度入力陽極電源制御部１５０１が発生するＥＬ素子に供給する電圧を可変する制御関数回路１５３」は、本願補正発明の「前記点灯率が大きいときよりも点灯率が小さいときの方が、前記電圧発生回路が発生するアノード電圧とカソード電圧の電圧差が大きくなるように、前記アノード電圧と前記カソード電圧のうち少なくとも一方を可変する制御回路」に相当する。
　
オ　以上のことから、本願補正発明と先願発明は、
「　ＥＬ素子を有する画素がマトリックス状に配置された表示画面を有するアクティブマトリックス型のＥＬ表示装置であって、
　前記画素に供給するアノード電圧を発生する電圧発生回路と、
　前記ＥＬ表示装置の前記画素に印加する信号を発生させる画像データから、点灯率を求める演算回路と、
　前記点灯率が大きいときよりも点灯率が小さいときの方が、前記電圧発生回路が発生するアノード電圧とカソード電圧の電圧差が大きくなるように、前記アノード電圧を可変する制御回路とを具備することを特徴とするＥＬ表示装置。」
の点で一致し、発明を特定する事項に相違する点はない。
　
３−３−４　小括
　したがって、本願補正発明は、先願明細書に記載された発明と同一であり、しかも、前記先願明細書に記載された発明の発明をした者が本願補正発明の発明者と同一の者であるとも、また、本願出願の時にその出願の出願人が前記先願明細書に係る出願の出願人と同一の者であるとも認められないから、特許法第２９条の２の規定により特許を受けることができない。
　
４　本件補正についてのむすび
　以上のとおり、本願補正発明は、上記「第２　３−２」のとおり、特許法第２９条第１項第３号に規定する発明であるから、特許出願の際、独立して特許を受けることができないものであり、仮に、審判請求人が主張するよう、本願補正発明を「画面全体にわたり、アノード電圧またはカソード電圧を変化させるもの」と解したとしても、特許法第２９条第２項の規定により、特許出願の際、独立して特許を受けることができないものである。また、本願補正発明は、上記「第２　３−３」のとおり、特許法第２９条の２の規定により、特許出願の際、独立して特許を受けることができないものである。したがって、本件補正は、平成１８年改正前特許法第１７条の２第５項において準用する同法第１２６条第５項の規定に違反するので、同法第１５９条第１項において読み替えて準用する同法第５３条第１項の規定により却下されるべきものである。
　
第３　本願発明について
１　本願発明
　平成２０年１１月２６日付けの手続補正は上記のとおり却下されたので、本願の請求項１に係る発明（以下「本願発明」という。）は、平成１９年１０月２６日付け手続補正書の特許請求の範囲の請求項１に記載された事項により特定される、以下のとおりのものである。
　「　ＥＬ素子を有する画素がマトリックス状に配置された表示画面を有するＥＬ表示装置であって、
　前記画素に供給するアノード電圧またはカソード電圧のうち少なくとも一方を発生する電圧発生回路と、
　前記ＥＬ表示装置の前記画素に印加する信号を発生させる画像データから、点灯率を求める演算回路と、
　前記点灯率に対応して、前記電圧発生回路が発生するアノード電圧とカソード電圧のうち少なくとも一方を可変する制御回路とを具備することを特徴とするＥＬ表示装置。」　
　
２　拒絶理由その１（特許法第２９条第１項第３号、第２項）
２−１　引用刊行物とその記載事項、引用発明
　原査定の拒絶の理由に引用された刊行物、その記載事項、及び引用発明は、上記「第２　３−２−１」、「第２　３−２−２」に記載したとおりである。
　
２−２　対比・判断
　本願発明は、本願補正発明から上記「第２　１」に記載した（補正事項１）、（補正事項２）の限定を解除した発明である。
　そうすると、本願発明の構成要件をすべて含み、さらに他の構成要件を付加したものに相当する本願補正発明が、上記「第２　３−２−３」で検討したとおり、引用発明と同一であり、又は引用発明に基いて当業者が容易に発明をすることができたものであるから、本願発明も同様の理由により、引用発明と同一であり、又は引用発明に基いて、当業者が容易に発明をすることができたものである。
　
２−３　小括
　以上のとおり、本願発明は、特許法第２９条第１項第３号に規定する発明に該当するので特許を受けることができず、仮に、審判請求人が主張するよう、本願発明を「画面全体にわたり、アノード電圧またはカソード電圧を変化させるもの」と解したとしても、特許法第２９条第２項の規定により特許を受けることができない。
　
３　拒絶理由その２（特許法第２９条の２）
３−１　先願明細書とその記載事項、先願発明
　原査定の拒絶の理由に引用された、本願の最先の優先日前の他の出願であって、本願の最先の優先日後に出願公開された特願２００３−４３２５１号（特開２００４−２５２２１６号公報参照）の願書に最初に添付した明細書又は図面に記載された事項、先願発明は、それぞれ上記「第２　３−３−１」、「第２　３−３−２」に記載したとおりである。
　
３−２　対比・判断
　本願発明は、本願補正発明から上記「第２　１」に記載した（補正事項１）、（補正事項２）の限定を解除した発明である。
　そうすると、本願発明の構成要件をすべて含み、さらに他の構成要件を付加したものに相当する本願補正発明が、上記「第２　３−３−３」で検討したとおり、先願発明と同一であるから、本願発明も同様の理由により、先願発明と同一であり、しかも、前記先願明細書に記載された発明をした者が本願発明の発明者と同一の者であるとも、また、本願出願の時にその出願の出願人が前記先願明細書に係る出願の出願人と同一の者であるとも認められない。
　
３−３　小括
　以上のとおり、本願発明は、特許法第２９条の２の規定により特許を受けることができない。
　
第４　むすび
　以上のとおり、本願の請求項１に係る発明は、特許法第２９条第１項第３号に規定する発明に該当するので特許を受けることができず、仮に、審判請求人が主張するよう、本願の請求項1に係る発明を「画面全体にわたり、アノード電圧またはカソード電圧を変化させるもの」と解したとしても同条第２項の規定により特許を受けることができないものである。また、本願の請求項１に係る発明は、特許法第２９条の２の規定により、特許を受けることができないものである。
　したがって、その余の請求項について検討するまでもなく、本願は拒絶すべきものである。
　
　よって、結論のとおり審決する。